(57)【要約】【課題】設置スペースの省スペース化を図ることのできる照明器具を提供する。【解決手段】照明器具Ａは、発光ダイオード１と、スリット状の開口部２１ａを有する透光性のカバー２１と、電源部３と、取付部２２と、開口部２１ａを覆う蓋部２３と、を備える。電源部３は、発光ダイオード１に電力を供給して発光ダイオード１を点灯させる。蓋部２３は、熱伝導性を有する材料からなる。そして、取付部２２は、カバー２１の内部に収容されて、カバー２１側の面に発光ダイオード１が配置されて、開口部２１ａ側に電源部３の収容空間を有する。【選択図】図１
2013045546.tif 000002
【特許請求の範囲】
【請求項１】
発光ダイオードと、スリット状の開口部を有する透光性のカバーと、前記発光ダイオードに電力を供給して前記発光ダイオードを点灯させる電源部と、前記カバーの内部に収容されて前記カバー側の面に前記発光ダイオードが配置されて前記開口部側に前記電源部の収容空間を有する取付部と、前記開口部を覆う蓋部と、を備えたことを特徴とする照明器具。
【請求項２】
前記蓋部は、熱伝導性を有する材料からなることを特徴とする請求項１記載の照明器具。
【請求項３】
検知対象の事象を検知するセンサ部が、前記取付部における前記カバー側の面に設けられ、前記収容空間において前記センサ部の裏側以外の空間に前記電源部が設けられたことを特徴とする請求項１乃至２の何れか記載の照明器具。
【発明の詳細な説明】
【技術分野】
【０００１】
本発明は、照明器具に関するものである。
【背景技術】
【０００２】
従来、光源として蛍光ランプと、ソケットと、器具本体と、点灯装置とを備えた照明器具があった（特許文献１参照）。この照明器具では、点灯装置が器具本体に設けられている。そして、蛍光ランプは、ソケットに支持されて、ソケットを介して点灯装置から点灯電力を供給されている。
【先行技術文献】
【特許文献】
【０００３】
【特許文献１】特開２００１−１２６５２６号公報
【発明の概要】
【発明が解決しようとする課題】
【０００４】
特許文献１に示されるような照明器具では、光源と、光源を点灯させるための点灯装置とが別に設けられているため、設置のスペースがその分必要であった。
【０００５】
本発明は、上記事由に鑑みてなされたものであり、その目的は、設置スペースの省スペース化を図ることのできる照明器具を提供することにある。
【課題を解決するための手段】
【０００６】
上記課題を解決するために本発明の照明器具は、発光ダイオードと、スリット状の開口部を有する透光性のカバーと、電源部と、取付部と、前記開口部を覆う蓋部と、を備える。前記電源部は、前記発光ダイオードに電力を供給して前記発光ダイオードを点灯させる。そして、前記取付部は、前記カバーの内部に収容されて、前記カバー側の面に前記発光ダイオードが配置されて、前記開口部側に前記電源部の収容空間を有することを特徴とする。
【０００７】
この照明器具において、前記蓋部は、熱伝導性を有する材料からなることが好ましい。
【０００８】
この照明器具において、検知対象の事象を検知するセンサ部が、前記取付部における前記カバー側の面に設けられ、前記収容空間において前記センサ部の裏側以外の空間に前記電源部が設けられたことも好ましい。
【発明の効果】
【０００９】
本発明では、設置スペースが省スペース化されるという効果がある。
【図面の簡単な説明】
【００１０】
【図１】（ａ）は実施形態１の照明器具の長手方向の断面図であり、（ｂ）は（ａ）のＢ−Ｂ断面図である。
【図２】同上の端子台がカバーの外部に設けられた照明器具の長手方向の断面図である。
【図３】実施形態２の照明器具の一部破断した斜視図である。
【図４】実施形態３の照明器具の長手方向の断面図である。
【発明を実施するための形態】
【００１１】
以下、本発明の実施の形態を図面に基づいて説明する。
【００１２】
（実施形態１）
実施形態１の照明器具Ａを図１に基づいて説明する。尚、以下の説明では図１（ｂ）に示す向きにおいて上下左右の方向を規定して説明を行うが、実際の取り付け方法は図１（ｂ）の向きに限定されるものではなく、例えば天井取付の場合は図１（ｂ）の上下が逆転した状態で使用される。
【００１３】
照明器具Ａは、例えば部屋の天井や壁等の面に蓋部２３側が直接設置されて、カバー２１側から照射された光で室内を照明する。
【００１４】
照明器具Ａは、図１（ａ）に示すように、発光ダイオード１と、透光性のカバー２１と、電源部３と、取付部２２と、蓋部２３と、端子台４と、を備える。
【００１５】
カバー２１は、例えばガラスや樹脂等の透光性を有する材料からなり、長尺の直管型で、長手方向にスリット状の開口部２１ａを有する。カバー２１は、図１（ｂ）に示すように、開口部２１ａの縁に、カバー２１の内部に向かう突起部２１ｂを有している。
【００１６】
電源部３は、外部電源（例えば商用電源）から供給された交流電力を直流に変換し、発光ダイオード１へ供給する。
【００１７】
取付部２２は、カバー２１に比べて熱伝導率の高い材料（例えば鉄等の金属、より好ましくは軽量で熱伝導性の良好なアルミ）からなり、短手方向の断面が略Ｕ字形で、長手方向の長さが、開口部２１ａの長手方向の長さと略等しい。
【００１８】
取付部２２は、略矩形板状の主取付部２２１と、主取付部２２１の長手方向の２辺から斜め下向きにそれぞれ突出する副取付部２２２、２２３と、主取付部２２１の短手方向の２辺から斜め下向きにそれぞれ突出する副取付部２２４、２２５とで、下側が開口した略箱状に形成されている。副取付部２２２〜２２５は、それぞれ、斜め外向きに傾斜しており、取付部２２は、長手方向の中心線及び短手方向の中心線に対してそれぞれ左右対称に形成されている。そして、取付部２２は、副取付部２２２〜２２５が突起部２１ｂのカバー２１側の面に当接するように、カバー２１に収容されている。
【００１９】
取付部２２のカバー２１側の面に、複数の発光ダイオード１が略同じ間隔で配置されている。取付部２２には、発光ダイオード１と電源部３とを電気的に接続する電気回路が設けられている。取付部２２は、取付部２２に設けられた電気回路が短絡しないように、絶縁処理が施されている。取付部２２は、蓋部２３側に、主取付部２２１及び副取付部２２２〜２２５で囲まれる凹所を有し、この凹所が電源部３の収納空間となる。
【００２０】
尚、本実施形態では、取付部２２の断面形状（長手方向と直交する断面の形状）が、略Ｕ字形となっているが、副取付部２２２〜２２５に実装された発光ダイオード１のみで所望の配光が得られるのであれば、主取付部２２１を無くして、カバー２１側に凸となる略Ｖ字形（図示せず）に形成されてもよい。
【００２１】
端子台４は、ジャックタイプのコネクタ４１を有し、蓋部２３に設けられて取付部２２の収容空間内に収容され、電源部３に接続されている。このコネクタ４１には、外部電源からの電源ケーブル４３に結束されたプラグタイプのコネクタ４２が着脱自在に接続されている。プラグタイプのコネクタ４２は、丸棒状の中心導体４２ａと、中心導体４２ａを中心とする円周面からなる外周導体４２ｂと、中心導体４２ａ及び外周導体４２ｂを支持する本体の周面に形成された雄ねじ４２ｃとを有する。ジャックタイプのコネクタ４１は、中心導体４２ａ及び外周導体４２ｂにそれぞれ接続される接触端子（図示せず）と、雄ねじ４２ｃがねじ込まれる雌ねじ４１ｃとを有する。而して、雄ねじ４２ｃが雌ねじ４１ｃにねじ込まれると、中心導体４２ａ及び外周導体４２ｂがそれぞれ対応する接触端子に電気的に接続されるとともに、雄ねじ４２ｃと雌ねじ４１ｃとが結合することで、プラグタイプのコネクタ４２に結線された電源ケーブル４３が端子台４に接続される。
【００２２】
蓋部２３は、カバー２１に比べて熱伝導率の高い材料（例えば鉄等の金属、より好ましくは軽量で熱伝導性の良好なアルミ）からなり、図１（ｂ）に示すように、略矩形板状の主蓋部２３１と、主蓋部２３１のカバー２１側の縁部に設けられた突起部２３ｂとを有し、開口部２１ａを覆う。
【００２３】
蓋部２３のカバー２１側の面に、電源部３と、端子台４とが取り付けられている。取付部２２にはネジ穴が設けられ、このネジ穴に対応する蓋部２３の位置に、ネジを挿通する孔が設けられている。ネジが、蓋部２３の孔に挿入されて、取付部２２のネジ穴にねじ込まれることで、図１（ｂ）に示すように、カバー２１の突起部２１ｂが、取付部２２の蓋部２３側の面と、蓋部２３の突起部２３ｂとによって、挟まれて締め付けられる。これにより、カバー２１と取付部２２と蓋部２３とが一体に固定されて、電源部３と端子台４とが取付部２２の収容空間に収容され、開口部２１ａが蓋部２３の主蓋部２３１によって覆われる。また、突起部２３ｂによって、開口部２１ａがずれることなく蓋部２３によって覆われる。
【００２４】
尚、カバー２１と取付部２２と蓋部２３との固定は、上記の示すようなネジの締結に限るものではなく、接着等による固定であってもよい。
【００２５】
次に照明器具Ａの動作の説明をする。この照明器具Ａは、電源ケーブル４３のプラグタイプのコネクタ４２が、端子台４のジャックタイプのコネクタ４１に接続された後、蓋部２３を施工面（例えば天井や壁）に当接させた状態で固定される。この時、電源ケーブル４３を介して電源部３に電力が供給さ、電源部３が、供給された電力を発光ダイオード１が点灯することのできる直流電力に変換する。そして、電源部３が、変換した直流電力を発光ダイオード１に供給することで、発光ダイオード１を点灯させて、照明器具Ａが室内を照明する。
【００２６】
照明器具Ａの配光を説明する。主取付部２２１と副取付部２２２、２２３とに配置された発光ダイオード１によって、照明器具Ａは、照明器具Ａの短手方向に広角な配光を得ることができる。そして、副取付部２２４、２２５に配置された発光ダイオード１によって、照明器具Ａの長手方向の両端が暗くなることが防止される。
【００２７】
上述のように、照明器具Ａは、発光ダイオード１と、スリット状の開口部２１ａを有する透光性のカバー２１と、電源部３と、取付部２２と、開口部２１ａを覆う蓋部２３と、を備える。電源部３は、発光ダイオード１に電力を供給して発光ダイオード１を点灯させる。そして、取付部２２は、カバー２１の内部に収容されて、カバー２１側の面に発光ダイオード１が配置されて、開口部２１ａ側に電源部３の収容空間を有する。
【００２８】
これにより、点灯部である発光ダイオード１と、発光ダイオード１を点灯させる電源部３とが、カバー２１と蓋部２３とで構成される空間（収容空間）内に収まる。点灯部と電源部３とが別体に形成された場合に比べて、設置スペースの省スペース化を図ることができる。また、発光ダイオード１が設けられる取付部２２の面の裏側に電源部３の収容空間が設けられているので、設置スペースをさらに小さくすることができる。また、直管状のカバー２１の内部に、点灯部と電源部３とが収められているので、デザイン性が向上するという効果がある。また、図１に示すように、端子台４を取付部２２の収容空間内に収容することで、更なる省スペース化とデザイン性の向上を図ることができる。
【００２９】
この照明器具Ａにおいて、蓋部２３は、熱伝導性を有する材料からなることが好ましい。
【００３０】
これにより、カバー２１側の内側に収められた電源部３や点灯部で発生した熱が、蓋部２３から効率良く放熱されるため、電源部３の温度上昇を抑制することができる。更に、取付部２２の材料を、熱伝導性を有する材料としてもよい。これにより、発光ダイオード１から発生された熱が取付部２２を通じて、取付部２２のカバー２１側の内部の空気や、取付部２２の蓋部２３側の収容空間内の空気、取付部２２に接しているカバー２１部に更に効率良く放熱される。そして、発光ダイオード１の温度上昇も抑制することができる。また、取付部２２と取付金具６とが直接接する部位（図示せず）を新たに設けることで、更に蓋部２３が取付部２２を冷却することもできる。
【００３１】
尚、上述の実施形態では、端子台４が取付部２２の収容空間内に設けられているが、図２に示すように、照明器具Ａの外部に設けられてもよい。端子台４は、例えば天井に設けられて、天井裏に配線された電源ケーブル４３が接続される。
【００３２】
尚、上述の説明では、照明器具Ａが施工面に直付けされているが、電源ケーブル４３は端子台４にネジで結合されているので、電源ケーブル４３が強固に照明器具Ａに固定されるから、照明器具Ａを電源ケーブル４３で吊り下げ支持することができる。１本の電源ケーブル４３のみでは照明器具Ａの姿勢が安定しない場合、電源ケーブル４３と他の１乃至複数の吊り具（図示せず）を用いて照明器具Ａを吊り下げてもよい。この場合、電源部３からの熱等によって温度が上昇した蓋部２３が、周囲の空気によって冷却されるから、放熱性が向上するという利点がある。
【００３３】
（実施形態２）
実施形態２の照明器具Ａは、蓋部２３の形状と設置方法が実施形態１の照明器具Ａと異なるのみである。そのため、実施形態１の照明器具Ａと異なる、照明器具Ａの蓋部２３の形状と設置方法についてのみを図３に基づいて説明する。
【００３４】
本実施形態の照明器具Ａは、取付金具６によって天井や壁等の設置面に取り付けられる。取付金具６は、カバー２１に比べて熱伝導率の高い材料（例えば鉄等の金属、より好ましくは軽量で熱伝導性の良好なアルミ）からなり、短手方向の断面が略Ｃ字形で、長手方向の長さが、蓋部２３の長手方向の長さと略等しい。蓋部２３は、図３に示すように、略矩形板状の底部６１と、底部６１の長手方向の２辺から垂直上向きにそれぞれ突出する略矩形板状の側壁６２、６２とからなる。側壁６２、６２が互いに向き合う面には、略同じ高さの位置に、長手方向の全長に渡って凹部６ａ、６ａが形成されている。
【００３５】
蓋部２３は、カバー２１に比べて熱伝導率の高い材料（例えば鉄等の金属、より好ましくは軽量で熱伝導性の良好なアルミ）からなり、略矩形板状の主蓋部２３１と、主蓋部２３１の両側に設けられたＬ型の脚片２３ａ、２３ａとからなる。脚片２３ａ、２３ａは、主蓋部２３１と垂直下向きに突出し、その先端側は互いに遠ざかる方向に向かって突出している。
【００３６】
取付金具６の凹部６ａ、６aに、蓋部２３の脚片２３ａ、２３ａの先端部をスライドさせながら差し込むことで、照明器具Ａは設置面に固定される。
【００３７】
尚、取付金具６と蓋部２３の構造は上記に限るものではない。例えば、蓋部２３が凹側で、取付金具６が凸側であってもよい。また、凹部６ａ、６ａの部分と、脚片２３ａ、２３aの部分とは、長手方向の全体に設けられているが、蓋部２３を取付金具６にスライドさせながら差し込むことができるのであれば、長手方向において部分的に設けられてもよい。
【００３８】
（実施形態３）
実施形態３の照明器具Ａの構成は、実施形態１又は至実施形態２の照明器具Ａに、センサ部５及び信号線５１を設けた点が異なるのみである。そのため、実施形態１、２と共通する構成要素には同一の符号を付して、その説明は省略し、実施形態１、２と異なる構成及び動作について説明する。
【００３９】
センサ部５は、照度センサや人感センサ、リモコン受信部等である。図４に示すように、センサ部５はカバー２１側の取付部２２に設けられ、電源部３及び端子台４は、センサ部５が設けられた面の裏側の収容空間以外の収容空間に設けられている。そして、センサ部５と接続された信号線５１は、取付部２２と蓋部２３とに設けられた孔を通って、照明器具Ａの外に出されている。外に出された信号線５１は、他の機器（図示せず）に取り付けられている。
【００４０】
次に照明器具Ａの動作の説明をする。センサ部５が人感センサで、他の機器が自動ドアであり、自動ドアの上方に照明器具Ａが設置されている場合について述べる。照明器具Ａは自動ドア周辺を照明し、センサ部５は通路方向の人の存在を検知する。センサ部５が人の存在を検知している間、センサ部５が信号線５１を介して自動ドアに信号を送り続ける。自動ドアは、センサ部５からの信号が届いている間、ドアが開いた状態を保ち続ける。そして、センサ部５が人の存在を検知しなくなると、センサ部５は信号の送信を停止する。自動ドアは信号を受信しなくなるとドアを閉じた状態にする。
【００４１】
また、センサ部５が人感センサと照度センサを有し、他の機器が、照明器具Ａへの電力供給を制限することによって、照明器具Ａの点灯／消灯を制御する制御機器である場合ついて述べる。制御機器には、センサ部５を有する１乃至複数の照明器具Ａと、センサ部５を有しない複数の照明器具Ａとが接続されている。センサ部５は、検出照度が規定の照度よりも暗く、且つ、人を検知した時のみ、制御機器に信号を送り続ける。制御機器は、何れかのセンサ部５からの信号を受信すると、全ての照明器具Ａを給電して、全ての照明器具Ａを点灯させる。全てのセンサ部５が、規定の照度以上の照度を検知した場合や、人を検知しない場合は、センサ部５は制御部に信号を送らない。この場合は、制御機器は、全ての照明器具Ａへの給電を停止して、全ての照明器具Ａを消灯させる。そして、照明器具Ａは、人が照明を必要とする時に、人の操作を必要とせずに自動的に照明することができる。
【００４２】
また、センサ部５が、持ち運び自由なリモコンから送信されるリモコン信号を受信するリモコン受信部で、他の機器が、照明器具Ａへの電力供給を制限することによって、照明器具Ａの点灯／消灯を制御する制御機器である場合ついて述べる。制御機器には、センサ部５を有する１乃至複数の照明器具Ａと、センサ部５を有しない複数の照明器具Ａとが接続されている。全ての照明器具Ａが消灯している状態で、センサ部５は、リモコン信号を受信すると、制御機器に信号を送る。制御機器は、何れかのセンサ部５からの信号を受信すると、全ての照明器具Ａを給電して、全ての照明器具Ａを点灯させる。全ての照明器具Ａが点灯している状態で、センサ部５は、リモコン信号を受信すると、制御機器に信号を送る。制御機器は、何れかのセンサ部５からの信号を受信すると、全ての照明器具Ａへの給電を停止して、全ての照明器具Ａを消灯させる。
【００４３】
上述のように、照明器具Ａは、検知対象の事象を検知するセンサ部５が、取付部２２におけるカバー２１側の面に設けられ、収容空間においてセンサ部５の裏側以外の空間に電源部３が設けられたことも好ましい。
【００４４】
これにより、照明器具Ａでは、設置スペースを増やすことなくセンサ部５を設けることができる。また、センサ部５が設けられることで、センサ部５と連動して他の機器や照明器具Ａを動作させることができる。
【００４５】
以上に述べた実施形態１〜実施形態３での照明器具Ａの形状は、直管型に限るものではなく、例えばリング型であってもよい。この場合、リング型のカバー２１の長手方向（つまり円周方向）に沿って、スリット状の開口部２１ａがカバー２１に形成される。このスリット内に電源部３が収納されればよい。
【００４６】
また、以上に述べた実施形態１〜実施形態３での照明器具Ａの外部電源の電力は、商用電源の交流電力に限るものではなく、商用電力と異なる電圧の交流電力であっても、直流電力であってもよい。この場合は、電源部３が、商用電力と異なる電圧の交流電力や直流電力を、発光ダイオード１が点灯できる電力に変換できる必要がある。
【符号の説明】
【００４７】
１  発光ダイオード
２１  カバー
２１ａ  開口部
２１ｂ  突起部
２２  取付部
２２１  主取付部
２２２、２２３、２２４、２２５  副取付部
２３  蓋部
２３１  主蓋部
２３ａ  脚片
２３ｂ  突起部
３  電源部
４  端子台
４１  ジャックタイプのコネクタ
４１ｃ  雌ねじ
４２  プラグタイプのコネクタ
４２ａ  中心導体
４２ｂ  外周導体
４２ｃ  雄ねじ
４３  電源ケーブル
５  センサ部
５１  信号線
６  取付金具
６１  底部
６２  側壁
６ａ  凹部
【図１】
2013045546.tif 000003
【図２】
2013045546.tif 000004
【図３】
2013045546.tif 000005
【図４】
2013045546.tif 000006